(57)【特許請求の範囲】
【請求項１】
遊技球の入賞検知を行う始動入賞手段と、前記始動入賞手段により遊技球が検知されたことを契機に、複数種類の図柄の変動開始から複数列の図柄の確定停止までを１回とする図柄変動ゲームを表示する表示装置と、を備え、前記図柄変動ゲームにおいて予め定められた特別表示結果が表示された場合には、遊技者に有利となる特別遊技が付与される遊技機において、
前記始動入賞手段による遊技球の入賞検知を契機に、図柄変動ゲームにて特別表示結果が表示されるか否かを判定する結果判定手段と、
前記結果判定手段に基づき、図柄変動ゲームの演出時間を複数種類の演出時間の中から決定する演出時間決定手段と、
前記演出時間決定手段が決定した演出時間の図柄変動ゲームを前記表示装置に実行させる演出制御手段と、
前記演出時間決定手段により予め決められた演出時間を決定した場合には、前記図柄変動ゲームで少なくとも図柄の変動開始を特定できる変動サイクルを大当り期待度に応じた回数分実行させる連続演出と、大当り期待度の異なる複数種類のリーチ演出を連続的に実行させる特定演出のうちいずれを実行させるかを決定する実行演出決定手段と、を備え、
特定演出が実行される場合において、最後のリーチ演出として特別リーチ演出が実行される際、当該特別リーチ演出が実行されるよりも前に、特別示唆演出が実行されるように構成されており、
前記演出制御手段は、
前記特定演出を実行させる場合、最後のリーチ演出以外では、リーチ演出を途中まで実行させた後、予め決められた切替演出を実行させて次のリーチ演出を開始させると共に、
前記演出制御手段は、
前記演出時間決定手段により予め決められた演出時間を決定したときであって、特定演出を実行させるとき、予め決められた第１回数のリーチ演出を段階的に実行させた後、特別示唆演出を経由して特別リーチ演出を実行させる第１実行パターンで実行させる場合と、予め決められた前記第１回数よりも少ない第２回数のリーチ演出を段階的に実行させて、非特別表示結果を表示させた後、特別示唆演出を実行させ、その後、図柄を再変動させて、特別リーチ演出を実行させる第２実行パターンで実行させる場合とがあることを特徴とする遊技機。
【請求項２】
図柄変動ゲームにおいて予め定められた特別表示結果が表示される場合には、遊技者に有利となる特別遊技が付与される遊技機において、
始動入賞手段による遊技球の入賞検知を契機に、図柄変動ゲームにて特別表示結果が表示されるか否かを判定する結果判定手段と、
前記図柄変動ゲームに関連して実行される演出を決定する実行演出決定手段と、を備え、
前記実行演出決定手段によって決定される演出には、少なくとも図柄の変動開始から一旦停止表示までを特定できる変動サイクルを大当り期待度に応じた回数分実行させる連続演出と、大当り期待度の異なる複数種類のリーチ演出を連続的に実行させる特定演出とを含み、
前記特定演出が実行される場合、最後のリーチ演出以外では、リーチ演出が途中まで実行された後、図柄が一旦停止表示されないことによって、当該リーチ演出の結果が表示されずに、予め決められた切替演出が実行されて次のリーチ演出が開始されることを特徴とする遊技機。
【発明の詳細な説明】
【技術分野】
【０００１】
本発明は、１回の図柄変動ゲームにおいて複数回の図柄変動ゲームが実行されているかのような連続演出を実行する遊技機に関する。
【背景技術】
【０００２】
従来、遊技機の一種であるパチンコ遊技機では、遊技盤に配設した始動入賞口への遊技球の入球を契機に大当りか否かの大当り抽選を行い、その大当り抽選の抽選結果を複数列の図柄を変動させて表示する図柄変動ゲームを実行させることにより導出させている。図柄変動ゲームでは、最終的に確定停止表示された図柄が大当り図柄である場合、遊技者は大当りを認識し得るようになっている。
【０００３】
この種の図柄変動ゲームでは、遊技者の興趣を向上させるために、遊技者に対して「大当り」となる可能性を示唆する様々な演出を行っている。このような演出には、１回の図柄変動ゲームにおいて複数回の図柄変動ゲームが実行されているかのように演出を行う連続予告演出（連続演出）がある（例えば、特許文献１）。そして、一般的に、連続予告演出では、１回の図柄変動ゲーム中に擬似的に実行される図柄変動ゲーム（変動サイクルともいう）の回数が多いほど大当り期待度が高くなるように設定されている。したがって、遊技者は、１回でも多くの変動サイクルが連続して実行されることによって、多数の賞球を獲得し得る「大当り」に当選することを期待する。
【先行技術文献】
【特許文献】
【０００４】
【特許文献１】特開２００８−１０４５２４号公報
【発明の概要】
【発明が解決しようとする課題】
【０００５】
ところで、連続予告演出を伴う図柄変動ゲームにおいてリーチ演出が実行される場合、リーチ演出による演出の間延びを防止するために、連続予告演出が終了する最後の変動サイクルにてリーチ演出が実行されることが一般的である。
【０００６】
このため、３列のうち２列の図柄列に同じ図柄が停止表示された場合（リーチの図柄組み合わせが表示された場合）、遊技者は、連続予告演出が当該図柄変動ゲーム（又は変動サイクル）で終了したとして、全列の図柄が停止表示される前に判断していた。従って、それ以降、遊技者は、連続予告演出が継続するか否かについて関心を持てなくなる虞があった。また、連続予告演出が単調になるといった問題があった。
【０００７】
この発明は、このような従来の技術に存在する問題点に着目してなされたものであり、その目的は、リーチ演出が行われても、異なる遊技演出に発展するか否かについて予測困難にして遊技の興趣を向上させることができる遊技機を提供することにある。
【課題を解決するための手段】
【０００８】
上記問題点を解決するために、請求項１に記載の発明は、遊技球の入賞検知を行う始動入賞手段と、前記始動入賞手段により遊技球が検知されたことを契機に、複数種類の図柄の変動開始から複数列の図柄の確定停止までを１回とする図柄変動ゲームを表示する表示装置と、を備え、前記図柄変動ゲームにおいて予め定められた特別表示結果が表示された場合には、遊技者に有利となる特別遊技が付与される遊技機において、前記始動入賞手段による遊技球の入賞検知を契機に、図柄変動ゲームにて特別表示結果が表示されるか否かを判定する結果判定手段と、前記結果判定手段に基づき、図柄変動ゲームの演出時間を複数種類の演出時間の中から決定する演出時間決定手段と、前記演出時間決定手段が決定した演出時間の図柄変動ゲームを前記表示装置に実行させる演出制御手段と、前記演出時間決定手段により予め決められた演出時間を決定した場合には、前記図柄変動ゲームで少なくとも図柄の変動開始を特定できる変動サイクルを大当り期待度に応じた回数分実行させる連続演出と、大当り期待度の異なる複数種類のリーチ演出を連続的に実行させる特定演出のうちいずれを実行させるかを決定する実行演出決定手段と、を備え、特定演出が実行される場合において、最後のリーチ演出として特別リーチ演出が実行される際、当該特別リーチ演出が実行されるよりも前に、特別示唆演出が実行されるように構成されており、前記演出制御手段は、前記特定演出を実行させる場合、最後のリーチ演出以外では、リーチ演出を途中まで実行させた後、予め決められた切替演出を実行させて次のリーチ演出を開始させると共に、前記演出制御手段は、前記演出時間決定手段により予め決められた演出時間を決定したときであって、特定演出を実行させるとき、予め決められた第１回数のリーチ演出を段階的に実行させた後、特別示唆演出を経由して特別リーチ演出を実行させる第１実行パターンで実行させる場合と、予め決められた前記第１回数よりも少ない第２回数のリーチ演出を段階的に実行させて、非特別表示結果を表示させた後、特別示唆演出を実行させ、その後、図柄を再変動させて、特別リーチ演出を実行させる第２実行パターンで実行させる場合とがあることを要旨とする。
【０００９】
請求項２に記載の発明は、図柄変動ゲームにおいて予め定められた特別表示結果が表示される場合には、遊技者に有利となる特別遊技が付与される遊技機において、始動入賞手段による遊技球の入賞検知を契機に、図柄変動ゲームにて特別表示結果が表示されるか否かを判定する結果判定手段と、前記図柄変動ゲームに関連して実行される演出を決定する実行演出決定手段と、を備え、前記実行演出決定手段によって決定される演出には、少なくとも図柄の変動開始から一旦停止表示までを特定できる変動サイクルを大当り期待度に応じた回数分実行させる連続演出と、大当り期待度の異なる複数種類のリーチ演出を連続的に実行させる特定演出とを含み、前記特定演出が実行される場合、最後のリーチ演出以外では、リーチ演出が途中まで実行された後、図柄が一旦停止表示されないことによって、当該リーチ演出の結果が表示されずに、予め決められた切替演出が実行されて次のリーチ演出が開始されることを要旨とする。
【発明の効果】
【００１０】
本発明によれば、リーチ演出が行われても、異なる遊技演出に発展するか否かについて予測困難にして遊技の興趣を向上させることができる。
【図面の簡単な説明】
【００１１】
【図１】パチンコ遊技機の機表側を示す正面図。
【図２】パチンコ遊技機の制御構成を示すブロック図。
【図３】変動パターンの内容を示す説明図。
【図４】演出実行パターンの演出内容を示す説明図。
【図５】第２実施形態の演出実行パターンの演出内容を示す説明図。
【発明を実施するための形態】
【００１２】
（第１実施形態）
以下、本発明をパチンコ遊技機に具体化した一実施形態を説明する。
図１に示すように、パチンコ遊技機の遊技盤１０のほぼ中央には、液晶ディスプレイ型の画像表示部ＧＨを有する表示装置としての演出表示装置１１が配設されている。演出表示装置１１では、複数列（本実施形態では、３列）の図柄を変動させて行う図柄変動ゲームと、該ゲームに関連して実行される各種の表示演出が実行される。本実施形態の図柄変動ゲームでは、複数列（本実施形態では、３列）の図柄からなる図柄組み合わせを導出する。なお、演出表示装置１１で実行される図柄変動ゲームでは、表示演出を多様化するための飾り図柄を用いて行われる。
【００１３】
また、演出表示装置１１の左下には、７セグメント型の特図表示装置１２が配設されている。特図表示装置１２では、複数種類の特別図柄（特図）を変動させて表示する図柄変動ゲームが行われる。特別図柄は、大当りか否か（大当り抽選）などの内部抽選の結果を示す報知用の図柄である。
【００１４】
本実施形態において特図表示装置１２には、複数種類（本実施形態では、１０１種類）の特図の中から、大当り抽選の抽選結果に対応する１つの特図が選択され、その選択された特図が確定停止表示される。１０１種類の特図は、大当りを認識し得る図柄となる１００種類の大当り図柄と、はずれを認識し得る図柄となる１種類のはずれ図柄と、に分類される。また、大当り図柄が確定停止表示された場合、遊技者には、大当り遊技が付与される。
【００１５】
また、本実施形態において演出表示装置１１には、各列に［１］〜［８］の８種類の数字が飾り図柄として表示されるようになっている。そして、演出表示装置１１には、特図表示装置１２の表示結果に応じた表示結果が表示される。具体的には、特図表示装置１２に大当り図柄が確定停止表示される場合、原則として、演出表示装置１１にも大当りの図柄組み合わせ（特別表示結果）が確定停止表示されるようになっている。本実施形態の大当りの図柄組み合わせは、全列の飾り図柄が同一の図柄組み合わせ（［２２２］［７７７］など）である。また、特図表示装置１２にはずれ図柄が確定停止表示される場合、原則として、演出表示装置１１にもはずれの図柄組み合わせ（非特別表示結果）が確定停止表示されるようになっている。本実施形態のはずれの図柄組み合わせは、全列の飾り図柄が異なる図柄組み合わせ（［１２３］など）、又は１列の飾り図柄が他の２列の飾り図柄と異なる図柄組み合わせ（［１２２］［７６７］など）である。
【００１６】
また、本実施形態において、演出表示装置１１における各列の飾り図柄は、図柄変動ゲームが開始すると、予め定めた変動方向（縦スクロール方向）に沿って変動表示されるようになっている。そして、図柄変動ゲームが開始すると（各列の飾り図柄が変動を開始すると）、演出表示装置１１において遊技者側から見て左列（左図柄）→右列（右図柄）→中列（中図柄）の順に、変動表示された飾り図柄が一旦停止表示されるようになっている。そして、一旦停止表示された左図柄と右図柄が同一の場合には、その図柄組み合わせ（［１↓１］など、「↓」は変動中を示す）からリーチ状態を認識できる。リーチ状態は、複数列のうち、特定列（本実施形態では、左列と右列）の飾り図柄が同一となって一旦停止表示され、かつ前記特定列以外の列（本実施形態では、中列）の飾り図柄が変動表示されている状態である。このリーチ状態を認識できる図柄組み合わせが飾り図柄によるリーチの図柄組み合わせとなる。
【００１７】
なお、「変動表示」とは、演出表示装置１１と、特図表示装置１２に定める表示領域内において表示される図柄の種類が変化している状態である。一方で、「一旦停止表示」とは、前記表示領域内において図柄がゆれ変動状態で表示されている状態である。また、「確定停止表示」とは、前記表示領域内において図柄が確定停止している状態である。そして、特図表示装置１２における図柄変動ゲームと、演出表示装置１１における図柄変動ゲームは、その図柄変動ゲームに係る表示演出が同時に開始されるとともに、同時に終了する（すなわち、同時に特別図柄と飾り図柄が確定停止表示される）。
【００１８】
また、本実施形態のパチンコ遊技機には、発射装置としての発射ハンドルが装備されている（図示しない）。この発射ハンドルは、パチンコ遊技機において遊技者が操作可能な位置に配置されている。そして、遊技者が発射ハンドルを操作することにより、遊技球が、遊技盤１０の左側（演出表示装置１１の左側）より遊技領域１６に発射されるようになっている。
【００１９】
また、特図表示装置１２の下方には、複数個（本実施形態では、２個）の特図保留発光部を備えた特図保留記憶表示装置１３が配設されている。特図保留記憶表示装置１３は、機内部で記憶した特別図柄用の始動保留球の記憶数（以下、「保留記憶数」と示す）を遊技者に報知する。保留記憶数は、遊技盤１０に配設した始動入賞口１９に遊技球が入球（入賞）することで１加算される一方で、図柄変動ゲームの開始により１減算される。したがって、図柄変動ゲーム中に始動入賞口１９へ遊技球が入球すると、保留記憶数は更に加算されるとともに、所定の上限数（本実施形態では、４個）まで累積される。そして、本実施形態における２個の特図保留発光部は、保留記憶数に応じて点灯、点滅又は消灯する。具体的には、保留記憶数が「０」の場合、２個の特図保留発光部は消灯し、保留記憶数が「１」の場合、左方の特図保留発光部が点灯して、右方の特図保留発光部が消灯するようになっている。また、保留記憶数が「２」の場合、２個の特図保留発光部が点灯し、保留記憶数が「３」の場合、左方の特図保留発光部が点滅して、右方の特図保留発光部が点灯するようになっている。また、保留記憶数が「４」の場合、２個の特図保留発光部が点滅するようになっている。なお、保留記憶数は、実行が保留されている図柄変動ゲームの数を示す。
【００２０】
また、演出表示装置１１の下方には、遊技球の入賞口としての入賞口１８を有する始動入賞口１９が配設されている。そして、始動入賞口１９の奥方には、入賞した遊技球を検知する始動入賞手段としての始動口スイッチＳＷ１が配設されている。本実施形態では、始動口スイッチＳＷ１で、始動入賞口１９に入賞した遊技球を検知することにより、図柄変動ゲームの始動条件と予め定めた個数（本実施形態では、３個）の賞球としての遊技球の払出条件を付与し得る。
【００２１】
また、始動入賞口１９の下方には、図示しないアクチュエータ（ソレノイド、モータなど）の作動により開閉動作を行う大入賞口扉２３を備えた特別入賞手段としての大入賞口２４が配設されている。
【００２２】
大入賞口２４の奥方には、入賞した遊技球を検知するカウントスイッチＳＷ２が配設されている。大入賞口２４は、入賞した遊技球を検知することにより、予め定めた個数（例えば、１３個）の賞球としての遊技球の払出条件を付与し得る。大入賞口２４は、大当り遊技中に大入賞口扉２３の開動作によって開放されることで遊技球の入賞が許容される。このため、大当り遊技中、遊技者は、賞球を獲得できるチャンスを得ることができる。
【００２３】
次に、本実施形態のパチンコ遊技機に規定する大当り遊技について説明する。
大当り遊技は、図柄変動ゲームにて、特図表示装置１２に大当り図柄が確定停止表示され、該図柄変動ゲームの終了後に開始される。大当り遊技が開始すると、最初に大当り遊技の開始を示すオープニング演出が行われる。オープニング演出終了後には、大入賞口２４が開放されるラウンド遊技が予め定めた規定ラウンド数を上限（本実施形態では、１５ラウンド）として複数回行われる。１回のラウンド遊技中に大入賞口２４は、規定個数（入球上限個数（本実施形態では、８個））の遊技球が入賞するまでの間、又は規定時間（ラウンド遊技時間）が経過するまでの間、開放される。また、ラウンド遊技では、ラウンド演出が行われる。そして、予め定めた規定ラウンド数のラウンド遊技の終了後には、大当り遊技の終了を示すエンディング演出が行われ、大当り遊技は終了される。
【００２４】
次に、パチンコ遊技機の制御構成を説明する。
図２に示すように、機裏側には、パチンコ遊技機全体を制御する主制御基板３０が装着されている。主制御基板３０は、パチンコ遊技機全体を制御するための各種処理を実行するとともに、該処理結果に応じた各種の制御指令（制御コマンド）を出力する。また、機裏側には、演出制御基板３１が装着されている。演出制御基板３１は、主制御基板３０が出力した制御信号（制御コマンド）に基づき、演出表示装置１１の表示態様（図柄、背景、文字などの表示画像など）や各種の演出装置を制御する。
【００２５】
以下、主制御基板３０及び演出制御基板３１の具体的構成を説明する。
主制御基板３０には、制御動作を所定の手順で実行する主制御用ＣＰＵ３０ａと、主制御用ＣＰＵ３０ａの制御プログラムを格納する主制御用ＲＯＭ３０ｂと、必要なデータの書き込み及び読み出しができる主制御用ＲＡＭ３０ｃが設けられている。そして、主制御用ＣＰＵ３０ａには、各種スイッチＳＷ１，ＳＷ２が遊技球を検知して出力する検知信号を入力可能に接続されている。また、主制御用ＣＰＵ３０ａには、特図表示装置１２、特図保留記憶表示装置１３が接続されている。
【００２６】
また、主制御用ＣＰＵ３０ａは、当り判定用乱数、特図振分用乱数、リーチ判定用乱数、変動パターン振分用乱数などの各種乱数の値を所定の周期毎に更新する乱数更新処理（乱数生成処理）を実行する。当り判定用乱数は、大当り抽選（大当り判定）で用いる乱数である。特図振分用乱数は、大当り抽選に当選した場合に、付与する大当り遊技の種類を決定する際に用いる乱数である。リーチ判定用乱数は、大当り抽選で非当選の場合に、図柄変動ゲームにてリーチ演出を実行するか否かを決定するためのリーチ抽選（リーチ判定）で用いる乱数である。変動パターン振分用乱数は、変動パターンを選択する際に用いる乱数である。また、主制御用ＲＡＭ３０ｃには、パチンコ遊技機の動作中に適宜書き換えられる各種情報（乱数値、タイマ値、フラグなど）が記憶（設定）される。
【００２７】
主制御用ＲＯＭ３０ｂには、メイン制御プログラム、各種の判定値（大当り判定値など）や、複数種類の変動パターンが記憶されている。変動パターンは、図柄変動ゲームが開始してから図柄変動ゲームが終了するまでの間の演出（表示演出、発光演出、音声演出）のベースとなるパターンであって、図柄変動ゲームの演出時間（変動時間）を特定し得る。
【００２８】
変動パターンには、大当りのときに決定される大当り演出用の変動パターンと、はずれのときに決定されるはずれ演出用の変動パターンがある。また、はずれ演出用の変動パターンには、リーチ演出を演出内容に含むはずれリーチ演出用の変動パターンと、リーチ演出を演出内容に含まないはずれ通常演出用の変動パターンと、がある。
【００２９】
また、リーチ演出は、演出表示装置１１の飾り図柄による図柄変動ゲームにおいて、リーチの図柄組み合わせ（リーチ図柄）が表示されてから、最終的に図柄組み合わせ（大当り、はずれの図柄組み合わせ）が導出されるまでの間に行われる演出である。なお、はずれ通常演出用の変動パターンに基づいて行われる図柄変動ゲームでは、リーチ演出を経ることなく最終的にはずれの図柄組み合わせが確定停止表示させるように展開される。また、はずれリーチ演出用の変動パターンに基づいて行われる図柄変動ゲームでは、リーチ演出を経て、最終的にはずれの図柄組み合わせが確定停止表示させるように展開される。また、大当り演出用の変動パターンに基づいて行われる図柄変動ゲームでは、リーチ演出を経て、最終的に大当りの図柄組み合わせが確定停止表示させるように展開される。
【００３０】
ここで、本実施形態に設定される変動パターンについて説明する。
図３に示すように、はずれ演出用の変動パターンＰ１は、変動内容に「通常変動」を含む変動パターンである。通常変動は、全列の図柄の変動表示の開始後、各列の変動を予め定めた図柄列の変動停止順序（左列→右列→中列）にしたがって変動を停止させて各列に図柄を導出させるはずれ演出である。なお、通常変動は、１０秒間の変動時間となっている。
【００３１】
はずれリーチ演出用の変動パターンＰ２〜Ｐ９は、変動内容にリーチ演出が含まれており、リーチ形成後、最終停止図柄が導出されるまでの変動内容（演出内容）及び演出時間が異なるリーチＲ１〜Ｒ４を含む。同様に、大当り演出用の変動パターンＰ１０〜Ｐ１８は、変動内容にリーチ演出が含まれており、リーチ形成後、最終停止図柄が導出されるまでの変動内容（演出内容）及び演出時間が異なるリーチＲ１〜Ｒ４を含む。なお、本実施形態では、Ｒ１＜Ｒ２＜Ｒ３＜Ｒ４の順番で、リーチＲ１〜Ｒ４が実行されたときにおける図柄変動ゲームの大当り期待度が高くなるように設定されている（リーチＲ４の大当り期待度が１番高い）。すなわち、大当りとなるとき、リーチＲ４を変動内容に含む変動パターンの選択確率は、他のリーチＲ１〜Ｒ３を変動内容に含む変動パターンの選択確率よりも高くなっている。また、大当りとなるとき、リーチＲ３を変動内容に含む変動パターンの選択確率は、リーチＲ１〜Ｒ２を変動内容に含む変動パターンの選択確率よりも高くなっている。同様に、大当りとなるとき、リーチＲ２を変動内容に含む変動パターンの選択確率は、リーチＲ１を変動内容に含む変動パターンの選択確率よりも高くなっている。一方、はずれとなるとき、リーチＲ１を変動内容に含む変動パターンの選択確率は、他のリーチＲ２〜Ｒ４を変動内容に含む変動パターンの選択確率よりも高くなっている。また、はずれとなるとき、リーチＲ２を変動内容に含む変動パターンの選択確率は、リーチＲ３〜Ｒ４を変動内容に含む変動パターンの選択確率よりも高くなっている。同様に、はずれとなるとき、リーチＲ３を変動内容に含む変動パターンの選択確率は、リーチＲ４を変動内容に含む変動パターンの選択確率よりも高くなっている。
【００３２】
また、リーチＲ１〜Ｒ４が実行される場合、１０秒間のリーチ形成変動を経てから各リーチＲ１〜Ｒ４が実行されるようになっている。リーチ形成変動とは、全列の図柄の変動表示の開始後、予め決められたリーチを形成する特定列の変動を予め定めた図柄列の変動停止順序（左列→右列）にしたがって変動を停止させて特定列にリーチ図柄を導出させる（一旦停止表示させる）までの演出である。本実施形態では、特定列に一旦停止表示させる図柄は、確定停止表示される図柄によって決定されるようになっている。
【００３３】
また、変動パターンＰ６〜Ｐ９，Ｐ１４〜１８の変動内容には、１回とする図柄変動ゲームで、少なくとも図柄の変動表示開始を特定できる変動サイクルを複数回連続する擬似連続演出が含まれているため、１回の図柄変動ゲームにおいて複数回の図柄変動ゲームが実行されているかのように演出が行われる。なお、本実施形態において変動サイクルは、全列の図柄の変動表示開始から一旦停止表示までを１回としている。
【００３４】
そして、リーチ演出が同じである場合、擬似連続演出が実行される方が、大当り期待度が高くなる。すなわち、リーチＲ４が実行されて、大当りとなるとき、擬似連続演出を変動内容に含む変動パターンＰ１７，Ｐ１８の方が、変動パターンＰ１３よりも選択される可能性が高くなっている。また、リーチＲ４が実行されて、はずれとなるとき、擬似連続演出を変動内容に含む変動パターンＰ９の方が、変動パターンＰ５よりも選択される可能性が低くなっている。同様に、リーチＲ３が実行されて、大当りとなるとき、擬似連続演出を変動内容に含む変動パターンＰ１５，Ｐ１６の方が、変動パターンＰ１２よりも選択される可能性が高くなっている。また、リーチＲ３が実行されて、はずれとなるとき、擬似連続演出を変動内容に含む変動パターンＰ７，Ｐ８の方が、変動パターンＰ４よりも選択される可能性が低くなっている。また、リーチＲ２が実行されて、大当りとなるとき、擬似連続演出を変動内容に含む変動パターンＰ１４の方が、変動パターンＰ１１よりも選択される可能性が高くなっている。また、リーチＲ２が実行されて、はずれとなるとき、擬似連続演出を変動内容に含む変動パターンＰ６の方が、変動パターンＰ３よりも選択される可能性が低くなっている。
【００３５】
また、同じ条件である場合（同じリーチ演出が行われると共に擬似連続演出が行われる場合）には、擬似連続演出における変動サイクル数が多い方が、大当り期待度が高くなる。すなわち、擬似連続演出及びリーチＲ４が実行されて、大当りとなるとき、変動サイクル数が４回の変動パターンＰ１８の方が、変動サイクル数が３回の変動パターンＰ１７よりも選択される可能性が高くなっている。なお、本実施形態において、変動サイクル数が４回で、リーチＲ４が実行される場合には、大当りが確定することとなる。
【００３６】
また、擬似連続演出及びリーチＲ３が実行されて、大当りとなるとき、変動サイクル数が３回の変動パターンＰ１６の方が、変動サイクル数が２回の変動パターンＰ１５よりも選択される可能性が高くなっている。その一方で、擬似連続演出及びリーチＲ３が実行されて、はずれとなるとき、変動サイクル数が３回の変動パターンＰ８の方が、変動サイクル数が２回の変動パターンＰ７よりも選択される可能性が低くなっている。なお、図３に変動パターン毎の変動サイクル数を図示している。
【００３７】
主制御用ＲＯＭ３０ｂには、大当り判定値が記憶されている。大当り判定値は、大当りか否かの内部抽選で用いる判定値であり、当り判定用乱数の取り得る数値の中から定められている。また、主制御用ＲＯＭ３０ｂには、リーチ判定値が記憶されている。リーチ判定値は、リーチ抽選で用いる判定値であり、リーチ判定用乱数の取り得る数値の中から定められている。
【００３８】
次に、演出制御基板３１について説明する。
図２に示すように、演出制御基板３１には、制御動作を所定の手順で実行する演出制御用ＣＰＵ３１ａと、演出制御用ＣＰＵ３１ａの制御プログラムを格納する演出制御用ＲＯＭ３１ｂと、必要なデータの書き込み及び読み出しができる演出制御用ＲＡＭ３１ｃが設けられている。演出制御用ＣＰＵ３１ａは、各種乱数の値を所定の周期毎に更新する乱数更新処理（乱数生成処理）を実行する。また、演出制御用ＣＰＵ３１ａには、演出表示装置１１が接続されている。また、演出制御用ＲＯＭ３１ｂには、各種の画像表示用データ（図柄、背景、文字、キャラクタなどの画像データ）が記憶されている。また、演出制御用ＲＡＭ３１ｃには、パチンコ遊技機の動作中に適宜書き換えられる各種情報（乱数値、タイマ値、フラグなど）が記憶（設定）される。
【００３９】
以下、主制御基板３０及び演出制御基板３１が実行する制御内容を説明する。
まず、主制御基板３０の主制御用ＣＰＵ３０ａが、メイン制御プログラムに基づき実行する特別図柄入力処理や特別図柄開始処理などの各種処理について説明する。本実施形態において主制御用ＣＰＵ３０ａは、所定の制御周期（例えば、４ｍｓ）毎に特別図柄入力処理や特別図柄開始処理などの各種処理を実行する。
【００４０】
最初に、特別図柄入力処理について説明する。
主制御用ＣＰＵ３０ａは、始動入賞口１９へ遊技球が入球し、該遊技球を検知した始動口スイッチＳＷ１が出力する検知信号を入力すると、主制御用ＲＡＭ３０ｃに記憶されている保留記憶数が上限数（本実施形態では、「４」）未満であるか否かの保留判定を行う。保留判定の判定結果が肯定の場合、主制御用ＣＰＵ３０ａは、保留記憶数を１加算（＋１）し、保留記憶数を書き換える。また、保留判定を肯定判定した主制御用ＣＰＵ３０ａは、各種乱数の値を主制御用ＲＡＭ３０ｃから取得し、その値を保留記憶数に対応付けて主制御用ＲＡＭ３０ｃの所定の記憶領域に格納する。なお、主制御用ＣＰＵ３０ａは、保留判定の判定結果が否定の場合、上限数を超える保留記憶数の書き換えを行わないとともに、前述した各乱数の値も取得しない。
【００４１】
次に、特別図柄開始処理について説明する。
主制御用ＣＰＵ３０ａは、図柄変動ゲームの実行中、大当り遊技中か否かの実行条件判定を実行する。この実行条件判定の判定結果が肯定の場合、つまり、図柄変動ゲームの実行中、大当り遊技中である場合、主制御用ＣＰＵ３０ａは、特別図柄開始処理を終了する。一方、実行条件判定の判定結果が否定（図柄変動ゲーム中ではなく、且つ大当り遊技ではない）の場合、主制御用ＣＰＵ３０ａは、主制御用ＲＡＭ３０ｃの所定の記憶領域に特別図柄入力処理において取得された各種乱数の値が設定されているか否かを判定する。当該判定結果が否定の場合、主制御用ＣＰＵ３０ａは、特別図柄開始処理を終了する。一方、判定結果が肯定の場合、主制御用ＣＰＵ３０ａは、主制御用ＲＡＭ３０ｃの所定の記憶領域に記憶されている当り判定用乱数の値を読み出す。
【００４２】
続いて、主制御用ＣＰＵ３０ａは、当り判定用乱数の値が、主制御用ＲＯＭ３０ｂに記憶されている大当り判定値と一致するか否かの大当り判定（結果判定）をする。この大当り判定の判定結果が肯定の場合、つまり、大当りの場合、主制御用ＣＰＵ３０ａは、大当りとなる図柄変動ゲームを実行させるための大当り変動処理を実行する。大当り変動処理において主制御用ＣＰＵ３０ａは、特別図柄表示装置１２に確定停止表示させる特別図柄として大当り図柄を決定する。このとき主制御用ＣＰＵ３０ａは、主制御用ＲＡＭ３０ｃの所定の記憶領域に記憶されている特図振分用乱数の値に基づいて、１つの図柄を決定する。
【００４３】
また、大当り変動処理において主制御用ＣＰＵ３０ａは、主制御用ＲＡＭ３０ｃの所定の記憶領域に記憶されている変動パターン振分用乱数の値を読み出す。そして、主制御用ＣＰＵ３０ａは、読み出した変動パターン振分用乱数の値と、付与する大当り遊技の種類に基づいて、複数種類の大当り演出用の変動パターンの中から変動パターンを決定する。そして、主制御用ＣＰＵ３０ａは、大当り変動処理において変動パターンを決定すると、特別図柄開始処理を終了する。
【００４４】
一方、上記大当り判定の判定結果が否定の場合、主制御用ＣＰＵ３０ａは、当り判定用乱数の値が大当りとなる値ではないことからはずれを認識する。そして、主制御用ＣＰＵ３０ａは、リーチ判定用乱数の値を読み出すとともに、リーチ判定用乱数の値とリーチ判定値を比較し、当該リーチ判定値と一致するか否かのリーチ判定（リーチ抽選）を行う。このリーチ判定の判定結果が肯定の場合、主制御用ＣＰＵ３０ａは、リーチ抽選に当選したことから、リーチ演出が行われてはずれとなる図柄変動ゲームを実行させるためのリーチ変動処理を実行する。リーチ変動処理において主制御用ＣＰＵ３０ａは、特別図柄表示装置１２に確定停止表示させる特別図柄としてはずれ図柄を決定する。また、はずれ図柄を決定した主制御用ＣＰＵ３０ａは、主制御用ＲＡＭ３０ｃの所定の記憶領域に記憶されている変動パターン振分用乱数の値を読み出し、当該変動パターン振分用乱数の値に基づいて、複数種類のはずれリーチ演出用の変動パターンの中から変動パターンを決定する。そして、主制御用ＣＰＵ３０ａは、リーチ変動処理において変動パターンを決定すると、特別図柄開始処理を終了する。
【００４５】
一方、リーチ判定の判定結果が否定の場合、主制御用ＣＰＵ３０ａは、リーチ演出が行われないではずれとなる図柄変動ゲームを実行させるためのはずれ変動処理を実行する。はずれ変動処理において主制御用ＣＰＵ３０ａは、特別図柄表示装置１２に確定停止表示させる特別図柄としてはずれ図柄を決定する。また、はずれ図柄を決定した主制御用ＣＰＵ３０ａは、主制御用ＲＡＭ３０ｃの所定の記憶領域に記憶されている変動パターン振分用乱数の値を読み出し、当該変動パターン振分用乱数の値に基づいて、はずれ通常演出用の変動パターンの中から変動パターンを決定する。そして、主制御用ＣＰＵ３０ａは、はずれ変動処理において変動パターンを決定すると、特別図柄開始処理を終了する。
【００４６】
また、特別図柄開始処理において特別図柄及び変動パターンを決定した主制御用ＣＰＵ３０ａは、決定した内容にしたがって生成した制御コマンドを所定のタイミングで演出制御基板３１（演出制御用ＣＰＵ３１ａ）に出力する。具体的に言えば、主制御用ＣＰＵ３０ａは、変動パターンを指示するとともに図柄変動ゲームの開始を指示する変動パターン指定コマンドを図柄変動ゲームの開始に際して最初に出力するとともに、特別図柄を変動表示させるように特別図柄表示装置１２の表示内容を制御する。同時に、主制御用ＣＰＵ３０ａは、特別図柄開始処理にて決定した特別図柄を指定する特別図柄指定コマンドを演出制御用ＣＰＵ３１ａに出力する。そして、主制御用ＣＰＵ３０ａは、指示した変動パターンに定められている変動時間の経過時に図柄変動ゲームの終了（飾り図柄の確定停止表示）を指示する全図柄停止コマンドを前記変動時間の経過に伴って出力するとともに、決定した特別図柄を確定停止表示させるように特別図柄表示装置１２の表示内容を制御する。
【００４７】
以上のことから、本実施形態では、主制御用ＣＰＵ３０ａが、図柄変動ゲームにて特別表示結果が表示されるか否かを判定する結果判定手段となる。また、主制御用ＣＰＵ３０ａが、図柄変動ゲームの演出時間を複数種類の演出時間の中から決定する演出時間決定手段となる。
【００４８】
次に、大当り抽選に当選した場合に主制御用ＣＰＵ３０ａが実行する当り遊技処理を説明する。
当り遊技処理において主制御用ＣＰＵ３０ａは、最初にオープニング演出の実行を指示するオープニングコマンドを演出制御用ＣＰＵ３１ａに出力する。次に、主制御用ＣＰＵ３０ａは、大当り抽選に当選した場合には、オープニング演出の終了後、各ラウンド遊技を制御する。すなわち、主制御用ＣＰＵ３０ａは、各ラウンド遊技の開始時にラウンド遊技の開始を指示するラウンドコマンドを演出制御用ＣＰＵ３１ａに出力するとともに、大入賞口２４の開放及び閉鎖を制御する。そして、主制御用ＣＰＵ３０ａは、最終回のラウンド遊技が終了すると、エンディング演出の実行を指示するエンディングコマンドを演出制御用ＣＰＵ３１ａに出力する。その後、主制御用ＣＰＵ３０ａは、エンディング演出の終了によって大当り遊技を終了させる。
【００４９】
次に、演出制御基板３１の演出制御用ＣＰＵ３１ａが制御プログラムに基づき実行する各種の処理について説明する。
演出制御基板３１の演出制御用ＣＰＵ３１ａは、変動パターン指定コマンド及び特別図柄指定コマンドを入力すると、当該コマンドの指示内容に応じて演出表示装置１１に最終的に確定停止表示させる飾り図柄を決定する。以下、演出表示装置１１に確定停止表示させる飾り図柄の決定について説明する。
【００５０】
演出制御用ＣＰＵ３１ａは、大当り図柄が指定された場合、数字図柄によって構成される大当りの図柄組み合わせ（［１１１］［２２２］［３３３］［４４４］［５５５］［６６６］［７７７］［８８８］）の中から確定停止表示させる飾り図柄を決定する。また、演出制御用ＣＰＵ３１ａは、はずれ図柄が指定されるとともに、はずれリーチ演出用の変動パターンが指定された場合、リーチの図柄組み合わせを含むはずれの図柄組み合わせ（例えば、［３２３］）の中から確定停止表示させる飾り図柄を決定する。また、演出制御用ＣＰＵ３１ａは、はずれ図柄が指定されるとともに、はずれ通常演出用の変動パターンが指定された場合、リーチの図柄組み合わせを含まないはずれの図柄組み合わせ（例えば、［４２６］や［２１１］）の中から確定停止表示させる飾り図柄を決定する。
【００５１】
また、演出制御用ＣＰＵ３１ａは、変動パターン指定コマンドを入力すると、図柄変動ゲームの具体的な変動内容を特定するための演出実行パターンを、指定された変動パターンに応じて決定する。そして、演出制御用ＣＰＵ３１ａは、決定した演出実行パターンに基づき、各列の飾り図柄を変動表示させて図柄変動ゲームを開始するように、演出表示装置１１の表示内容を制御する。そして、演出制御用ＣＰＵ３１ａは、全図柄停止コマンドを入力すると、確定停止表示させると決定した飾り図柄の図柄組み合わせを演出表示装置１１に確定停止表示させる。
【００５２】
ここで、演出実行パターンについて説明する。
図４に示すように、本実施形態では、擬似連続演出を伴う変動パターンＰ６〜Ｐ９，Ｐ１４〜Ｐ１８が指定された場合、擬似連続演出を実行させるための演出実行パターンＥＰ６ａ〜ＥＰ９ａ，ＥＰ１４ａ〜ＥＰ１８ａと、擬似連続演出の代わりに早送り演出を行う演出実行パターンＥＰ６ｂ〜ＥＰ９ｂ，ＥＰ１４ｂ〜ＥＰ１８ｂのうち、いずれか一方の演出実行パターンが決定されるようになっている。なお、擬似連続演出を伴わない変動パターンＰ１〜Ｐ５，Ｐ１０〜Ｐ１３が指定された場合、当該変動パターンＰ１〜Ｐ５，Ｐ１０〜Ｐ１３に対応する１の演出実行パターンＥＰ１〜ＥＰ５，ＥＰ１０〜ＥＰ１３がそれぞれ決定されるようになっている。
【００５３】
まず、擬似連続演出を伴わない演出実行パターンＥＰ１〜ＥＰ５，ＥＰ１０〜ＥＰ１３について説明する。
はずれ演出用の変動パターンＰ１に対応する演出実行パターンＥＰ１は、通常変動を特定するパターンである。このため、演出実行パターンＥＰ１に基づき、図柄変動ゲームが実行された場合、１０秒間の通常変動が行われるようになっている。従って、演出実行パターンＥＰ１の演出時間（すなわち、変動パターンＰ１の演出時間）は、１０秒となっている。
【００５４】
また、はずれリーチ演出用の変動パターンＰ２〜Ｐ５に対応する演出実行パターンＥＰ２〜ＥＰ５は、それぞれリーチＲ１〜Ｒ４を特定するパターンである。このため、演出実行パターンＥＰ２〜ＥＰ５に基づき、図柄変動ゲームが実行された場合、１０秒間のリーチ形成変動を経て、リーチＲ１〜Ｒ４が実行され、その後、はずれの図柄組み合わせが確定停止表示される。つまり、このリーチ形成変動は、上記通常変動（演出実行パターンＥＰ１）とほぼ同じ演出態様（変動態様）ではあるが、左図柄と右図柄が停止した時点でリーチを形成しているか否かで相違する。なお、リーチＲ１の演出時間は、１５秒となっており、リーチＲ２の演出時間は、２０秒となっており、リーチＲ３の演出時間は、３０秒となっており、リーチＲ４の演出時間は、４０秒となっている。リーチＲ１〜Ｒ４の演出時間とは、リーチの図柄組み合わせが一旦停止表示されてから（中列の図柄は変動中）、全列の図柄が確定停止表示されるまでの時間を指す。従って、演出実行パターンＥＰ２の演出時間（すなわち、変動パターンＰ２の演出時間）は、２５秒となっている。また、演出実行パターンＥＰ３の演出時間（すなわち、変動パターンＰ３の演出時間）は、３０秒となっている。また、演出実行パターンＥＰ４の演出時間（すなわち、変動パターンＰ４の演出時間）は、４０秒となっている。また、演出実行パターンＥＰ５の演出時間（すなわち、変動パターンＰ５の演出時間）は、５０秒となっている。
【００５５】
また、大当り演出用の変動パターンＰ１０〜Ｐ１３に対応する演出実行パターンＥＰ１０〜ＥＰ１３は、それぞれリーチＲ１〜Ｒ４を特定するパターンである。このため、演出実行パターンＥＰ１０〜ＥＰ１３に基づき、図柄変動ゲームが実行された場合、１０秒間のリーチ形成変動を経て、リーチＲ１〜Ｒ４が実行され、その後、大当りの図柄組み合わせが確定停止表示される。なお、演出実行パターンＥＰ１０の演出時間（すなわち、変動パターンＰ１０の演出時間）は、２５秒となっている。また、演出実行パターンＥＰ１１の演出時間（すなわち、変動パターンＰ１１の演出時間）は、３０秒となっている。また、演出実行パターンＥＰ１２の演出時間（すなわち、変動パターンＰ１２の演出時間）は、４０秒となっている。また、演出実行パターンＥＰ１３の演出時間（すなわち、変動パターンＰ１３の演出時間）は、５０秒となっている。
【００５６】
次に、擬似連続演出を伴う演出実行パターンＥＰ６ａ〜ＥＰ９ａ，ＥＰ１４ａ〜ＥＰ１８ａについて説明する。擬似連続演出が行われる場合、最後の変動サイクル以外の変動サイクルにおいては、１０秒間の通常変動が行われ、予め決められたはずれの図柄組み合わせ（本実施形態では「１２３」、以下、擬似連用図柄と示す場合がある）が一旦停止表示されるようになっている。また、最後の変動サイクルにおいては、１０秒間のリーチ形成変動が行われ、その後、リーチ演出が行われ、決定された図柄（確定停止表示させる飾り図柄）が確定停止表示されるようになっている。以下、詳しく説明する。
【００５７】
はずれリーチ演出用の変動パターンＰ６〜Ｐ７に対応する演出実行パターンＥＰ６ａ〜ＥＰ７ａは、変動サイクル数が２回であって、それぞれリーチＲ２〜Ｒ３を特定するパターンである。このため、演出実行パターンＥＰ６ａ〜ＥＰ７ａに基づき、図柄変動ゲームが実行された場合、１回目の変動サイクルにおいて、１０秒間の通常変動が行われ、擬似連用図柄が一旦停止表示される。そして、２回目（最後）の変動サイクルにおいて、１０秒間のリーチ形成変動を経て、リーチＲ２〜Ｒ３が実行され、その後、決定されたはずれの図柄組み合わせが確定停止表示される。なお、演出実行パターンＥＰ６ａの演出時間（すなわち、変動パターンＰ６の演出時間）は、４０秒となっている。また、演出実行パターンＥＰ７ａの演出時間（すなわち、変動パターンＰ７の演出時間）は、５０秒となっている。
【００５８】
はずれリーチ演出用の変動パターンＰ８〜Ｐ９に対応する演出実行パターンＥＰ８ａ〜ＥＰ９ａは、変動サイクル数が３回であって、それぞれリーチＲ３〜Ｒ４を特定するパターンである。このため、演出実行パターンＥＰ８ａ〜ＥＰ９ａに基づき、図柄変動ゲームが実行された場合、１回目及び２回目の変動サイクルにおいて、１０秒間の通常変動がそれぞれ行われ、擬似連用図柄が一旦停止表示される。そして、３回目（最後）の変動サイクルにおいて、１０秒間のリーチ形成変動を経て、リーチＲ３〜Ｒ４が実行され、その後、決定されたはずれの図柄組み合わせが確定停止表示される。なお、演出実行パターンＥＰ８ａの演出時間（すなわち、変動パターンＰ８の演出時間）は、６０秒となっている。また、演出実行パターンＥＰ９ａの演出時間（すなわち、変動パターンＰ９の演出時間）は、７０秒となっている。
【００５９】
大当り演出用の変動パターンＰ１４〜Ｐ１５に対応する演出実行パターンＥＰ１４ａ〜ＥＰ１５ａは、変動サイクル数が２回であって、それぞれリーチＲ２〜Ｒ３を特定するパターンである。このため、演出実行パターンＥＰ１４ａ〜ＥＰ１５ａに基づき、図柄変動ゲームが実行された場合、１回目の変動サイクルにおいて、１０秒間の通常変動が行われ、擬似連用図柄が一旦停止表示される。そして、２回目（最後）の変動サイクルにおいて、１０秒間のリーチ形成変動を経て、リーチＲ２〜Ｒ３が実行され、その後、決定された大当りの図柄組み合わせが確定停止表示される。なお、演出実行パターンＥＰ１４ａの演出時間（すなわち、変動パターンＰ１４の演出時間）は、４０秒となっている。また、演出実行パターンＥＰ１５ａの演出時間（すなわち、変動パターンＰ１５の演出時間）は、５０秒となっている。
【００６０】
大当り演出用の変動パターンＰ１６〜Ｐ１７に対応する演出実行パターンＥＰ１６ａ〜ＥＰ１７ａは、変動サイクル数が３回であって、それぞれリーチＲ３〜Ｒ４を特定するパターンである。このため、演出実行パターンＥＰ１６ａ〜ＥＰ１７ａに基づき、図柄変動ゲームが実行された場合、１回目及び２回目の変動サイクルにおいて、１０秒間の通常変動がそれぞれ行われ、擬似連用図柄が一旦停止表示される。そして、３回目（最後）の変動サイクルにおいて、１０秒間のリーチ形成変動を経て、リーチＲ３〜Ｒ４が実行され、その後、決定されたはずれの図柄組み合わせが確定停止表示される。なお、演出実行パターンＥＰ１６ａの演出時間（すなわち、変動パターンＰ１６の演出時間）は、６０秒となっている。また、演出実行パターンＥＰ１７ａの演出時間（すなわち、変動パターンＰ１７の演出時間）は、７０秒となっている。
【００６１】
大当り演出用の変動パターンＰ１８に対応する演出実行パターンＥＰ１８ａは、変動サイクル数が４回であって、リーチＲ４を特定するパターンである。このため、演出実行パターンＥＰ１８ａに基づき、図柄変動ゲームが実行された場合、１回目〜３回目の変動サイクルにおいて、１０秒間の通常変動がそれぞれ行われ、擬似連用図柄が一旦停止表示される。そして、４回目（最後）の変動サイクルにおいて、１０秒間のリーチ形成変動を経て、リーチＲ４が実行され、その後、決定された大当りの図柄組み合わせが確定停止表示される。なお、演出実行パターンＥＰ１８ａの演出時間（すなわち、変動パターンＰ１８の演出時間）は、８０秒となっている。
【００６２】
次に、擬似連続演出の代わりに早送り演出を行う演出実行パターンＥＰ６ｂ〜ＥＰ９ｂ，ＥＰ１４ｂ〜ＥＰ１８ｂについて説明する。本実施形態において、早送り演出が行われる場合、擬似連続演出において実行される変動サイクルと同じ区切りで、演出内容が変化するようになっている。つまり、擬似連続演出が実行される場合において設定される各変動サイクルに相当する期間内で、それぞれ異なる演出内容が表示されるようになっている。すなわち、変動サイクル開始時において、それまでの演出内容とは異なる演出内容の遊技が実行されるようになっている。なお、最後の変動サイクルにおいては、リーチ形成変動に相当する期間（１０秒間）内で、リーチ形成変動とは異なる演出内容が表示されるようになっている。
【００６３】
詳しく説明すると、早送り演出が行われる場合、いずれの演出実行パターンＥＰ６ｂ〜ＥＰ９ｂ，ＥＰ１４ｂ〜ＥＰ１８ｂにおいても、１回目の変動サイクル（擬似連続演出が行われるときにおける１回目の変動サイクルに相当する期間。以下、早送り演出に係わる説明において同じ）において、１０秒間のリーチ形成変動が行われる。そして、２回目以降の変動サイクルであって、最後の変動サイクル以外の変動サイクル（に相当する期間）では、演出内容が途中から早送りされるリーチ（以下、単に早送りリーチと示す）Ｒ１〜Ｒ２が実行される。具体的には、早送りリーチが開始すると、（変動サイクルに相当する期間の）開始から５秒間は、通常態様（早送りでない）のリーチ演出が実行され、５秒経過後から、早送りしたリーチ演出が実行され、１０秒経過時に、（変動サイクルに相当する期間が終了すると共に）終了する。なお、早送りリーチＲ１〜Ｒ３の終了時には中列の図柄を変動表示させたまま、次の変動サイクルに移行するようになっている。早送りリーチＲ１〜Ｒ３の終了時にはリーチ図柄を一旦停止表示させたまま、次の変動サイクルに移行するようになっている。また、本実施形態では、５秒間の早送りしたリーチ演出が、切替演出に相当する。
【００６４】
早送りする際には、通常態様の画像表示用データを数倍の速さで再生している。詳しくは、リーチＲ２を早送りする場合には、残り１５秒の内容を５秒で早送りするため、３倍速で再生される。同様に、リーチＲ３を早送りする場合には、残り２５秒の内容を５秒で早送りするため、５倍速で再生される。リーチＲ４を早送りする場合には、残り３５秒の内容を５秒で早送りするため、７倍速で再生されることとなる。なお、早送り演出は、その都度、リーチ演出の内容を早送りしても良いし、予め早送り内容用のデータを作成しておいても良い。予め早送り用のデータを作成する場合、リーチＲ２〜Ｒ４において表示される特徴的な画像を繋ぎ合わせて早送り用のデータを作成しても良い。また、リーチＲ２〜Ｒ４において表示される画像を数分の１に間引いて早送り用のデータを作成しても良い。その際、間引く画像は、均等に間引いても良いし、均等でなくても良い。均等に間引くとは、例えば、通常の演出内容において４ｍｓ毎に１画像表示させる場合には、１６ｍｓ（４ｍｓの倍数）毎に１画像表示させることである。
【００６５】
そして、早送りする演出内容は、演出実行パターンＥＰ６ｂ〜ＥＰ９ｂ，ＥＰ１４ｂ〜ＥＰ１８ｂに定められており、当該演出実行パターンＥＰ６ｂ〜ＥＰ９ｂ，ＥＰ１４ｂ〜ＥＰ１８ｂに従って実行されることとなる。また、図４では、リーチＲ１を早送りする内容が実行される場合には、「短Ｒ１」と示す。リーチＲ２を早送りする内容が実行される場合には、「短Ｒ２」と示す。リーチＲ３を早送りする内容が実行される場合には、「短Ｒ３」と示す。また、リーチ形成変動を「リーチ形成」と示し、通常変動を「通常」と示す。
【００６６】
また、最後の変動サイクルにおいても、最初の１０秒間（すなわち、擬似連続演出が実行される場合にはリーチ形成変動の為に使用される期間）において、早送りリーチＲ１〜Ｒ３が実行されるようになっている。そして、早送りリーチＲ１〜Ｒ３が実行された後、続いて通常の（早送りでない）リーチＲ２〜Ｒ４が実行され、決定された図柄（確定停止表示させる飾り図柄）が確定停止表示されるようになっている。
【００６７】
また、早送りされるリーチ演出は、リーチ演出の大当り期待度が低いものから高いものが実行されるように各演出実行パターンＥＰ６ｂ〜ＥＰ９ｂ，ＥＰ１４ｂ〜ＥＰ１８ｂが定められている。以下、詳しく説明する。
【００６８】
はずれリーチ演出用の変動パターンＰ６〜Ｐ７に対応する演出実行パターンＥＰ６ｂ〜ＥＰ７ｂに基づき、図柄変動ゲームが実行された場合、１回目の変動サイクルに相当する期間おいて、１０秒間のリーチ形成変動が行われ、リーチの図柄組み合わせが一旦停止表示される。そして、２回目（最後）の変動サイクルに相当する期間が開始されると、１０秒間の間（擬似連続演出が実行される際にリーチ形成変動が実行される期間）、リーチＲ１が早送りされた内容で実行される。その後、リーチＲ２〜Ｒ３が実行され、決定されたはずれの図柄組み合わせが確定停止表示される。なお、演出実行パターンＥＰ６ｂの演出時間は、演出実行パターンＥＰ６ａと同じ４０秒となっている。また、演出実行パターンＥＰ７ｂの演出時間は、演出実行パターンＥＰ７ａと同じ５０秒となっている。
【００６９】
はずれリーチ演出用の変動パターンＰ８〜Ｐ９に対応する演出実行パターンＥＰ８ｂ〜ＥＰ９ｂに基づき、図柄変動ゲームが実行された場合、１回目の変動サイクルに相当する期間において、１０秒間のリーチ形成変動が行われ、リーチの図柄組み合わせが一旦停止表示される。そして、２回目の変動サイクルに相当する期間において、リーチＲ１が早送りされた内容で実行される。その後、３回目（最後）の変動サイクルに相当する期間が開始されると、１０秒間の間（擬似連続演出が実行される際にリーチ形成変動が実行される期間）、演出実行パターンＥＰ８ｂ〜ＥＰ９ｂにより特定されるリーチＲ２又はリーチＲ３が早送りされた内容で実行される。その後、リーチＲ３〜Ｒ４が実行され、決定されたはずれの図柄組み合わせが確定停止表示される。なお、演出実行パターンＥＰ８ｂの演出時間は、演出実行パターンＥＰ８ａと同じ６０秒となっている。また、演出実行パターンＥＰ９ｂの演出時間は、演出実行パターンＥＰ９ａと同じ７０秒となっている。
【００７０】
大当り演出用の変動パターンＰ１４〜Ｐ１５に対応する演出実行パターンＥＰ１４ａ〜ＥＰ１５ａに基づき、図柄変動ゲームが実行された場合、１回目の変動サイクルに相当する期間において、１０秒間のリーチ形成変動が行われ、リーチの図柄組み合わせが一旦停止表示される。そして、２回目（最後）の変動サイクルに相当する期間が開始されると、１０秒間の間（擬似連続演出が実行される際にリーチ形成変動が実行される期間）、リーチＲ１が早送りされた内容で実行される。その後、演出実行パターンＥＰ１４ａ〜ＥＰ１５ａにより特定されるリーチＲ２〜Ｒ３が実行され、決定された大当りの図柄組み合わせが確定停止表示される。なお、演出実行パターンＥＰ１４ｂの演出時間は、演出実行パターンＥＰ１４ａと同じ４０秒となっている。また、演出実行パターンＥＰ１５ｂの演出時間は、演出実行パターンＥＰ１５ａと同じ５０秒となっている。
【００７１】
大当り演出用の変動パターンＰ１６〜Ｐ１７に対応する演出実行パターンＥＰ１６ｂ〜ＥＰ１７ｂに基づき、図柄変動ゲームが実行された場合、１回目の変動サイクルに相当する期間において、１０秒間のリーチ形成変動が行われ、リーチの図柄組み合わせが一旦停止表示される。そして、２回目の変動サイクルに相当する期間において、リーチＲ１が早送りされた内容で実行される。その後、３回目の変動サイクルに相当する期間が開始されると、１０秒間の間（擬似連続演出が実行される際にリーチ形成変動が実行される期間）、演出実行パターンＥＰ１６ｂ〜ＥＰ１７ｂにより特定されるリーチＲ２又はリーチＲ３が早送りされた内容で実行される。その後、演出実行パターンＥＰ１６ｂ〜ＥＰ１７ｂにより特定されるリーチＲ３又はリーチＲ４が実行され、決定された大当りの図柄組み合わせが確定停止表示される。なお、演出実行パターンＥＰ１６ｂの演出時間は、演出実行パターンＥＰ１６ａと同じ６０秒となっている。また、演出実行パターンＥＰ１７ｂの演出時間は、演出実行パターンＥＰ１７ａと同じ７０秒となっている。
【００７２】
大当り演出用の変動パターンＰ１８に対応する演出実行パターンＥＰ１８ｂに基づき、図柄変動ゲームが実行された場合、１回目の変動サイクルに相当する期間において、１０秒間のリーチ形成変動が行われ、リーチの図柄組み合わせが一旦停止表示される。そして、２回目の変動サイクルに相当する期間において、リーチＲ１が早送りされた内容で実行される。３回目の変動サイクルに相当する期間において、リーチＲ２が早送りされた内容で実行される。その後、４回目（最後）の変動サイクルが開始されると、１０秒間の間（擬似連続演出が実行される際にリーチ形成変動が実行される期間）、リーチＲ３が早送りされた内容で実行される。そして、リーチＲ４が実行され、決定された大当りの図柄組み合わせが確定停止表示される。なお、演出実行パターンＥＰ１８ｂの演出時間は、演出実行パターンＥＰ１８ａと同じ８０秒となっている。
【００７３】
そして、演出制御用ＣＰＵ３１ａは、変動パターンＰ１〜Ｐ５，Ｐ１０〜Ｐ１３が指定されると、指定された変動パターンＰ１〜Ｐ５，Ｐ１０〜Ｐ１３に応じた１の演出実行パターンＥＰ１〜ＥＰ５，ＥＰ１０〜ＥＰ１３を決定する。一方、演出制御用ＣＰＵ３１ａは、変動パターンＰ６〜Ｐ９，Ｐ１４〜Ｐ１８が指定されると、指定された変動パターンＰ６〜Ｐ９，Ｐ１４〜Ｐ１８に応じた演出実行パターンＥＰ６ａ〜ＥＰ９ａ，ＥＰ１４ａ〜ＥＰ１８ａ，ＥＰ６ｂ〜ＥＰ９ｂ，ＥＰ１４ｂ〜ＥＰ１８ｂの中から演出実行パターンを抽選で決定する。その際、擬似連続演出の演出実行パターンと、早送り演出の演出実行パターンは、均等確率で選択されるようになっている。
【００７４】
そして、演出制御用ＣＰＵ３１ａは、決定した演出実行パターンに基づき、前述した演出内容で図柄変動ゲームを開始するように、演出表示装置１１の表示内容を制御する。そして、演出制御用ＣＰＵ３１ａは、全図柄停止コマンドを入力すると、確定停止表示させると決定した飾り図柄の図柄組み合わせを演出表示装置１１に確定停止表示させる。以上のことから、本実施形態の演出制御用ＣＰＵ３１ａは、図柄変動ゲームを表示装置に実行させる演出制御手段となる。また、演出制御用ＣＰＵ３１ａは、擬似連続演出と、早送り演出のうちいずれを実行させるかを決定する実行演出決定手段となる。
【００７５】
以上詳述したように、本実施形態は、以下の効果を有する。
（１）同じ演出時間の（つまり、同じ変動パターンに基づく）図柄変動ゲームが実行されるときでも、変動サイクル数により大当り期待度を知ることができる擬似連続演出と、複数種類のリーチ演出が大当り期待度の順番に従って段階的に実行される早送り演出（特定演出）、が実行されるようになっている。このため、複数種類のリーチ演出が段階的に実行された場合には、当該早送り演出が実行された演出時間と同じ演出時間で擬似連続演出も実行可能であったことを認識することができる。従って、複数種類のリーチ演出が段階的に実行される場合には、その演出時間などから連続演出における大当り期待度も予測することができるようになっている。また、リーチ演出を途中まで実行させた後、早送りする内容でリーチ演出を実行させる（切替演出を実行させる）ようになっているため、リーチ演出を全て見せる場合よりもテンポ良く実行させることができる。また、同じ演出時間の図柄変動ゲームを実行させる場合でも、擬似連続演出と早送り演出のいずれかを実行させることができるため、遊技演出のバリエーションを増やすことができる。また、早送り演出が行われる可能性があるため、リーチ演出が実行されたとしても、当該リーチ演出で図柄変動ゲームが終了するとは限らず、最後まで遊技演出の展開について注目させることができる。
【００７６】
（２）擬似連続演出が実行される場合において、変動サイクル数が多いときには、少ないときよりも大当りの図柄組み合わせ（特別表示結果）が表示される可能性が高くなるように構成されている。すなわち、変動サイクル数が多いほど、大当り期待度が高くなっている。そして、早送り演出が実行される場合には、実行されるリーチ演出の種類数が多いほど、大当りの図柄組み合わせ（特別表示結果）が表示される可能性が高くなるように構成されている。すなわち、実行されるリーチ演出の数が多いほど、大当り期待度が高くなっている。なお、同じ演出実行パターンで図柄変動ゲームが実行される場合、擬似連続演出における変動サイクル数と、早送り演出におけるリーチ演出数は同じとなっているため、遊技者は、リーチ演出数から変動サイクル数を容易に把握することができ、変動サイクル数から容易に大当り期待度を予想することができる。
【００７７】
（３）同じ変動サイクル数（又はリーチ演出数）であるならば、最後に実行されるリーチ演出の種類により大当り期待度が異なるようになっている。このため、遊技者に最後に実行されるリーチ演出の種類について注目させることができる。なお、早送り演出が実行される際、途中からリーチ演出が早送りされる可能性があるため（切替演出が実行される可能性があるため）、最後のリーチ演出であるか否か途中まで判断できず、より遊技者に注目させることができる。
【００７８】
（４）また、早送り演出を実行させる際、各変動サイクルに相当する期間において、異なる演出内容を実行する。このため、遊技者に擬似連続演出との関連性、すなわち、早送り演出の代わりに擬似連続演出が実行されたときにおける変動サイクル数を予想させることができる。その一方で、各変動サイクルに相当する期間において、１つのリーチ演出を早送りした内容で実行する。そして、早送りする際には、通常の演出内容で実行させた後、途中から早送りした演出内容で実行させる。以上ことから、遊技者は、各変動サイクルに相当する期間において実行される演出内容が途中から早送りされないかについてより注目させることができる。
【００７９】
また、実際に早送りされるまで遊技者は、早送り演出であるのか、そのままリーチ演出が実行されるのか判断することができない。具体的には、演出実行パターンＥＰ２，ＥＰ１０に基づく図柄変動ゲームと、演出実行パターンＥＰ６ｂ〜ＥＰ９ｂ，ＥＰ１４ｂ〜Ｐ１８ｂに基づく図柄変動ゲームでは、２回目の変動サイクルに相当する期間が開始してから５秒が経過するまで、いずれの演出実行パターンであるかについて判断できない。つまり、図柄変動ゲーム開始から１５秒が経過するまでいずれの演出実行パターンであるかについて判断できない。このため、早送りされない演出実行パターンＥＰ２，ＥＰ１０に基づく図柄変動ゲームであっても、早送り演出が実行されるかも知れないと期待させることができる。
【００８０】
（５）また、早送り演出では、大当り期待度が低いリーチ演出から順番に高いリーチ演出が出現するように設定されている。このため、途中で遊技者の期待感を低下させることが無く、次のリーチ演出に発展して欲しいと思わせる。また、最後のリーチ演出以外では、早送りしているため、通常態様のリーチ演出を繋げる場合と比較して、全体の演出時間を短くして遊技効率を向上させる。また、通常態様のリーチ演出を繋げる場合と比較して、様々なリーチ演出を見せることができる。
【００８１】
（６）最後の変動サイクルのリーチ形成変動に相当する期間において、１つのリーチ演出を早送りするようにしている。このため、１回目の変動サイクルに相当する期間において、リーチ形成変動を実行させたとしても、早送りしたリーチ演出の数と最後のリーチ演出の合計数と、変動サイクル数は同じとすることができる。つまり、リーチ演出の数から容易に変動サイクル数を予想することができる。また、１回目の変動サイクルに相当する期間において、リーチ形成変動を実行させることにより、擬似連続演出や早送り演出を伴わない通常の演出実行パターンＥＰ２〜ＥＰ５，ＥＰ１０〜ＥＰ１３と、早送り演出を伴う演出実行パターンＥＰ６ｂ〜ＥＰ９ｂ，ＥＰ１４ｂ〜Ｐ１８ｂのうち、いずれの演出実行パターンであるかについて判断できない。このため、通常の演出実行パターンＥＰ２〜ＥＰ５，ＥＰ１０〜ＥＰ１３であっても発展するかも知れないと思わせることができる。
【００８２】
（７）また、早送り演出を実行する際、リーチ形成変動後、リーチの図柄組み合わせを継続して一旦停止表示させ続ける一方、中列の図柄を変動表示させ続ける。このため、リーチ演出が切り替わっても一繋がりのリーチ演出が実行されているかのように見せることができる。
【００８３】
（８）早送り演出を実行させる際、リーチ演出が切り替わるタイミングと、早送りされるタイミングをそろえると共に、リーチ演出を実行させる順番を大当り期待度の順番としたことにより、途中までいずれの演出実行パターンであるかについて判断できないようすることができる場合がある。具体的には、演出実行パターンＥＰ１４ｂに基づく図柄変動ゲームと、演出実行パターンＥＰ１６ｂ、ＥＰ１８ｂに基づく図柄変動ゲームでは、３回目の変動サイクルに相当する期間において５秒経過するまで、同じ演出内容であることから、いずれの演出実行パターンであるかについて判断できない。つまり、図柄変動ゲーム開始後、２５秒を経過するまで、同じ演出内容であることから、いずれの演出実行パターンであるかについて判断できない。このため、いずれの演出実行パターンであるかについて注目させることができる。同様に、演出実行パターンＥＰ１５ｂに基づく図柄変動ゲームと、演出実行パターンＥＰ１７ｂに基づく図柄変動ゲームでは、３回目の変動サイクルに相当する期間において５秒経過するまで、同じ演出内容であることから、いずれの演出実行パターンであるかについて判断できない。つまり、図柄変動ゲーム開始後、２５秒を経過するまで、同じ演出内容であることから、いずれの演出実行パターンであるかについて判断できない。このため、いずれの演出実行パターンであるかについて注目させることができる。また、演出実行パターンＥＰ１６ｂに基づく図柄変動ゲームと、演出実行パターンＥＰ１８ｂに基づく図柄変動ゲームでは、４回目の変動サイクルに相当する期間において５秒経過するまで、同じ演出内容であることから、いずれの演出実行パターンであるかについて判断できない。つまり、図柄変動ゲーム開始後、３５秒を経過するまで、同じ演出内容であることから、いずれの演出実行パターンであるかについて判断できない。さらには、変動サイクル数が４回の変動パターンは大当り確定となっているため、早送りされるか否かについてより注目させることができる。また、擬似連続演出では、４回目の変動サイクル開始時に大当り確定ということが認識できる場合と比較して、早送り演出では、４回目の変動サイクルに相当する期間において５秒経過するまで判断できないため、擬似連続演出が実行される場合よりもより長い間注目させることができる。
【００８４】
（９）早送りされるリーチ演出は、最後のリーチ演出よりも出現率が高くなっている。このため、途中から早送りされたとしても、それよりも出現率が少ないリーチ演出を見ることができるため、遊技者の興趣を低下させることがない。
【００８５】
（第２実施形態）
次に、本発明を具体化した第２実施形態を説明する。なお、第１実施形態と同様の構成は、第１実施形態と同じ符号を付してその詳細な説明及び図面は省略又は簡略する。
【００８６】
第２実施形態では、早送り演出を実行させる場合であって、リーチＲ４（特別リーチ演出）が実行される場合、当該リーチＲ４が実行されるよりも前に、リーチＲ４の実行を示唆する特別示唆演出が実行されるように構成されている。
【００８７】
図５に示すように、特別示唆演出が実行される演出実行パターンには、変動パターンＰ９に対応付けられた演出実行パターンＥＰ９ｃ，ＥＰ９ｄと、変動パターンＰ１７に対応付けられた演出実行パターンＥＰ１７ｃ，ＥＰ１７ｄと、変動パターンＰ１８に対応付けられた演出実行パターンＥＰ１８ｃ，ＥＰ１８ｄが存在する。
【００８８】
演出実行パターンＥＰ９ｃ，ＥＰ１７ｃ，ＥＰ１８ｃに基づく図柄変動ゲームでは、予め決められた回数（１回又は２回）の早送りリーチＲ１，Ｒ２を段階的に実行させた後、特別示唆演出を経由して特別リーチ演出を実行させるようになっている。一方、演出実行パターンＥＰ９ｄ，ＥＰ１７ｄ，ＥＰ１８ｄに基づく図柄変動ゲームでは、通常変動又はリーチＲ１を経てはずれの図柄組み合わせを一旦停止表示させた後、特別示唆演出を実行させる。その後、全列の図柄を再変動表示させ、リーチ形成変動を実行し、その後、リーチＲ４を実行させるようになっている。また、本実施形態において、特別示唆演出は、背景画像が切り替わり、キャラクタが出現するなどの演出であり、リーチＲ４の演出内容を示唆するようにリーチＲ４の演出内容に関連した内容、キャラクタ、背景画像などが表示されるようになっている。なお、図５では、特別示唆演出を「特別」と図示する。
【００８９】
本実施形態では、演出実行パターンＥＰ１８ｃが、予め決められた第１回数（２回）の早送りリーチＲ１，Ｒ２を段階的に実行させた後、特別示唆演出を経由してリーチＲ４（特別リーチ演出）を実行させる第１実行パターンである。一方、演出実行パターンＥＰ１８ｄが、予め決められた第１回数よりも少ない第２回数（１回）の早送りリーチＲ１を実行させて、はずれの図柄組み合わせ（非特別表示結果）を表示させた後、特別示唆演出を実行させ、その後、図柄を再変動させて、特別リーチ演出を実行させる第２実行パターンである。
【００９０】
以下、詳しく説明する。
はずれリーチ演出用の変動パターンＰ９に対応する演出実行パターンＥＰ９ｃに基づき、図柄変動ゲームが実行された場合、１回目の変動サイクルに相当する期間において、１０秒間のリーチ形成変動が行われ、リーチの図柄組み合わせが一旦停止表示される。そして、２回目の変動サイクルに相当する期間において、リーチＲ１が早送りされた内容で実行される。その後、３回目（最後）の変動サイクルに相当する期間が開始されると、１０秒間（擬似連続演出が実行される際にリーチ形成変動が実行される期間）で、特別示唆演出が実行される。その後、リーチＲ４が実行され、決定されたはずれの図柄組み合わせが確定停止表示される。なお、特別示唆演出中、リーチの図柄組み合わせは、一旦停止表示されたままとなっている。また、大当り演出用の変動パターンＰ１７に対応する演出実行パターンＥＰ１７ｃに基づき実行される図柄変動ゲームの演出内容は、最後に表示される図柄組み合わせ以外、演出実行パターンＥＰ９ｃに基づき実行される図柄変動ゲームの演出内容と同じであるため、詳細な説明は省略する。
【００９１】
はずれリーチ演出用の変動パターンＰ９に対応する演出実行パターンＥＰ９ｄに基づき、図柄変動ゲームが実行された場合、１回目の変動サイクルに相当する期間において、通常変動が行われ、はずれの図柄組み合わせが一旦停止表示される。そして、２回目の変動サイクルに相当する期間において、特別示唆演出が実行される。その後、３回目（最後）の変動サイクルに相当する期間が開始されると、再び全列の図柄が変動表示され、１０秒間の間で、リーチ形成変動が実行され、リーチの図柄組み合わせが一旦停止表示される。その後、リーチＲ４が実行され、決定されたはずれの図柄組み合わせが確定停止表示される。なお、特別示唆演出中、はずれの図柄組み合わせは、一旦停止表示されたままとなっている。また、大当り演出用の変動パターンＰ１７に対応する演出実行パターンＥＰ１７ｄに基づき実行される図柄変動ゲームの演出内容は、最後に表示される図柄組み合わせ以外、演出実行パターンＥＰ９ｄに基づき実行される図柄変動ゲームの演出内容と同じであるため、詳細な説明は省略する。
【００９２】
大当り演出用の変動パターンＰ１８に対応する演出実行パターンＥＰ１８ｃに基づき、図柄変動ゲームが実行された場合、１回目の変動サイクルに相当する期間において、１０秒間のリーチ形成変動が行われ、リーチの図柄組み合わせが一旦停止表示される。そして、２回目の変動サイクルに相当する期間において、リーチＲ１が早送りされた内容で実行される。また、３回目の変動サイクルに相当する期間において、リーチＲ２が早送りされた内容で実行される。その後、４回目（最後）の変動サイクルに相当する期間が開始されると、１０秒間（擬似連続演出が実行される際にリーチ形成変動が実行される期間）で、特別示唆演出が実行される。その後、リーチＲ４が実行され、決定された大当りの図柄組み合わせが確定停止表示される。なお、特別示唆演出中、リーチの図柄組み合わせは、一旦停止表示されたままとなっている。
【００９３】
大当り演出用の変動パターンＰ１８に対応する演出実行パターンＥＰ１８ｄに基づき、図柄変動ゲームが実行された場合、１回目の変動サイクルに相当する期間において、１０秒間のリーチ形成変動が行われ、リーチの図柄組み合わせが一旦停止表示される。そして、２回目の変動サイクル開始から、通常のリーチＲ１が実行され、はずれの図柄組み合わせが一旦停止表示される。その後、短縮版の特別示唆演出が５秒間行われる。その後、４回目（最後）の変動サイクルに相当する期間が開始されると、再び全列の図柄が変動表示され、１０秒間の間で、リーチ形成変動が実行され、リーチの図柄組み合わせが一旦停止表示される。その後、リーチＲ４が実行され、決定された大当りの図柄組み合わせが確定停止表示される。なお、特別示唆演出中、はずれの図柄組み合わせは、一旦停止表示されたままとなっている。また、短縮版の特別示唆演出とは、通常の特別示唆演出と同様の内容となっており、一部の演出が省かれている又は早送りされている。
【００９４】
そして、演出制御用ＣＰＵ３１ａは、変動パターンＰ９，Ｐ１７，Ｐ１８が指定されると、指定された変動パターンＰ９，Ｐ１７，Ｐ１８に応じた演出実行パターンＥＰ９ａ〜ＥＰ９ｄ，ＥＰ１７ａ〜ＥＰ１７ｄ，ＥＰ１８ａ〜ＥＰ１８ｄの中から演出実行パターンを抽選で決定する。その際、４つの演出実行パターンの中から均等確率で選択されるようになっている。
【００９５】
そして、演出制御用ＣＰＵ３１ａは、決定した演出実行パターンに基づき、前述した演出内容で図柄変動ゲームを開始するように、演出表示装置１１の表示内容を制御する。そして、演出制御用ＣＰＵ３１ａは、全図柄停止コマンドを入力すると、確定停止表示させると決定した飾り図柄の図柄組み合わせを演出表示装置１１に確定停止表示させる。
【００９６】
以上詳述したように、第２実施形態は、第１実施形態の効果（１）〜（９）に加えて、以下の効果を有する。
（１０）演出実行パターンＥＰ９ｄ，ＥＰ１７ｄ，ＥＰ１８ｄに基づく図柄変動ゲームでは、通常変動又は通常のリーチＲ１を経て、はずれの図柄組み合わせが一旦停止表示された場合であっても、特別示唆演出を経て、リーチＲ４が実行される。このため、通常変動又は通常のリーチＲ１を経て、はずれの図柄組み合わせが一旦停止表示された場合であっても、リーチＲ４が実行されるのではないかと期待させることができる。
【００９７】
（１１）演出実行パターンＥＰ９ｃ，ＥＰ１７ｃ，ＥＰ１８ｃに基づく図柄変動ゲームでは、最後の変動サイクル開始時において、特別示唆演出が実行される。このため、早送り演出が実行された場合であっても、擬似連続演出よりも早いタイミング、すなわち、最後の変動サイクル開始時において、リーチＲ４の実行を予想することができる。
【００９８】
なお、上記実施形態は、次のような別の実施形態（別例）にて具体化できる。
・上記実施形態において、図柄変動ゲームの変動内容及び変動時間は、それぞれ任意に変更しても良い。
【００９９】
・上記実施形態において、大当り遊技の種類及び種類数は、任意に変更しても良い。また、ラウンド数、開放時間、開放回数を任意に変更しても良い。
・上記実施形態において、変動サイクル数及び各変動サイクルにおける演出時間を任意に変更しても良い。また、各変動サイクルの演出時間を同じにしなくても良い。例えば、１回目の変動サイクルの演出時間を、１０秒とし、２回目の変動サイクルの演出時間を、１１秒とし、３回目の変動サイクルの演出時間を、１３秒とし、４回目の変動サイクルの演出時間を、１４秒としてもよい。
【０１００】
・上記実施形態において、早送り演出を実行する際、各変動サイクルの開始時に、演出内容が次の内容に切り替わるようにしたが、このようにしなくてもよい。つまり、各変動サイクルに相当する期間内に、１つの演出内容を実行させるようにしなくてもよい。例えば、２回の変動サイクルに相当する期間に亘って、１つの早送りリーチが実行されるようにしてもよい。また、１回の変動サイクルに相当する期間において、複数の早送りリーチが実行されても良い。
【０１０１】
・上記実施形態において、早送り演出を実行する際、変動サイクルに相当する期間毎に、全列の図柄を一旦停止表示させることはなかったが、一旦停止表示させてもよい。例えば、早送りリーチが実行された場合に、変動サイクルに相当する期間終了時に、はずれの図柄組み合わせが一旦停止表示させてもよい。この場合、変動サイクルに相当する期間開始時に図柄を再変動表示させればよい。
【０１０２】
・上記実施形態において、早送り演出が実行される際、同じ演出実行パターンで擬似連続演出が実行される際の変動サイクル数と、リーチ演出数を同じにしなくても良い。
・上記実施形態において、早送り演出が実行される場合には、最後のリーチ演出の種類によって大当りの図柄組み合わせが表示される可能性が示されるように構成しても良い。
【０１０３】
・上記実施形態において、早送りリーチは、途中まで通常のリーチ演出を実行させ、途中から早送りした内容のリーチを実行させたが、最初から早送りしても良い。また、早送りリーチの最後は、通常のリーチ演出に戻しても良い。
【０１０４】
・上記実施形態において、早送りリーチでは、途中から早送りした内容のリーチを実行させたが、早送りした内容のリーチ以外の演出内容の切替演出を代わりに実行させても良い。切替演出としては、所定のキャラクタ画像を表示させても良いし、背景画像を変更する演出でもよい。
【０１０５】
・上記実施形態において、早送り演出が実行される際、出現するリーチ演出の順番は、大当り期待度の順番となっていたが、大当り期待度の順番でなくても良い。
・上記実施形態において、早送り演出が実行される際、出現するリーチ演出の順番は、出現率の順番として無くても良い。
【０１０６】
次に、上記実施形態及び別例から把握できる技術的思想を以下に追記する。
（イ）連続演出が実行される場合において、変動サイクルの回数が多いときには、少ないときよりも特別表示結果が表示される可能性が高くなるように構成されており、特定演出が実行される場合には、最後のリーチ演出の種類によって特別表示結果が表示される可能性が示されるように構成されていることを特徴とする請求項１又は請求項２に記載の遊技機。
【０１０７】
（ロ）前記演出制御手段は、特定演出を実行させる場合、リーチ演出を開始させるタイミングを、連続演出を実行させる際における変動サイクルを開始させるタイミングと一致させることを特徴とする請求項１、請求項２及び技術的思想（イ）のうちいずれか一項に記載の遊技機。
【０１０８】
（ハ）前記演出時間決定手段は、図柄変動ゲームの演出内容を特定する変動パターンを決定することにより、図柄変動ゲームの演出時間を少なくとも決定するように構成され、前記連続演出及び前記特定演出は、予め決められた特別変動パターンが決定されたときに実行されるように構成されていることを特徴とする請求項１、請求項２、技術的思想（イ）及び（ロ）のうちいずれか一項に記載の遊技機。
【０１０９】
（ニ）前記演出制御手段は、特定演出を実行させる場合、最後のリーチ演出以外では、リーチ演出を途中まで実行させた後、途中から当該リーチ演出の内容を早送りする切替演出を実行させてから、次の段階のリーチ演出を開始させることを特徴とする請求項１、請求項２、技術的思想（イ）、（ロ）及び（ハ）のうちいずれか一項に記載の遊技機。
【０１１０】
（ホ）前記演出制御手段は、前記演出時間決定手段により予め決められた演出時間を決定した場合、前記変動サイクルを複数回実行させる連続演出を実行した後、複数種類のリーチ演出を段階的、且つ、連続的に実行させる特定演出を実行させることを特徴とする請求項１、請求項２、技術的思想（イ）、（ロ）、（ハ）及び（ニ）のうちいずれか一項に記載の遊技機。
【０１１１】
（ヘ）特定演出において最後のリーチ演出以外において実行され得るリーチ演出は、最後のリーチ演出と比較して大当り期待度が低い一方で出現率が高いことを特徴とする請求項１、請求項２、技術的思想（イ）、（ロ）、（ハ）及び（ホ）のうちいずれか一項に記載の遊技機。
【０１１２】
（ト）切替演出において、リーチ図柄が継続して表示されることを特徴とする請求項１、請求項２、技術的思想（イ）、（ロ）、（ハ）、（ホ）及び（ヘ）のうちいずれか一項に記載の遊技機。
【０１１３】
（チ）切替演出において、図柄変動ゲームの表示結果は表示されないことを特徴とする請求項１、請求項２、技術的思想（イ）、（ロ）、（ハ）、（ホ）、（ヘ）及び（ト）のうちいずれか一項に記載の遊技機。
【符号の説明】
【０１１４】
ＧＨ…画像表示部、１１…演出表示装置、１２…特図表示装置、１３…特図保留記憶表示装置、１９…始動入賞口、２４…大入賞口、３０…主制御基板、３０ａ…主制御用ＣＰＵ、３０ｂ…主制御用ＲＯＭ、３０ｃ…主制御用ＲＡＭ、３１…演出制御基板、３１ａ…演出制御用ＣＰＵ、３１ｂ…演出制御用ＲＯＭ、３１ｃ…演出制御用ＲＡＭ。
【図１】
0005926091.tif 000002
【図２】
0005926091.tif 000003
【図３】
0005926091.tif 000004
【図４】
0005926091.tif 000005
【図５】
0005926091.tif 000006